(57)【要約】【課題】撮影モードの選択間違いを未然に防止する。【解決手段】レンズ付きフイルムユニットには、異なる露出を選択するモード選択操作部１５が外部に露呈して設けられている。モード選択操作部１５は、標準モードである日中モードを選択する下位置と、中間モードを選択する中間位置と、室内モードを選択する上位置との３つの位置に操作される。モード選択操作部１５を中間モードと室内モードとの位置に選択操作すると、ボディ上面１１ａからモード表示板１７が突出する。モード表示板１７を収納位置に押し込むと、モード選択操作部１５が日中モードを選択する位置に戻される。【選択図】        図２
2006091069.tif 000002
【特許請求の範囲】
【請求項１】
予め写真フイルムを内蔵するとともに、異なる露出を選択するモード選択操作部を外部に設けたレンズ付きフイルムユニットにおいて、
該ユニットの外部に一部が突出する突出位置と、前記一部が該ユニット内に収納される収納位置との間で移動するモード表示部材と、
前記撮影モードのうちの、野外撮影をするときに選択する標準モードの位置にモード選択操作部を選択操作したときにはモード表示部材が収納位置となり、また、前記標準モード以外のモードの位置にモード選択操作部を選択操作したときに、モード表示部材を突出位置に移動させるとともに、前記モード表示部材を突出位置から収納位置に手動で移動したときに、前記標準モードを選択する位置にモード選択操作部を戻すように、前記モード選択操作部と前記モード表示部材と連動させる連動機構と、を備えたことを特徴とするレンズ付きフイルムユニット。
【請求項２】
前記写真フイルムのフイルム感度がＩＳＯ１６００以上であるとともに、前記標準モードは、フイルム感度ＩＳＯ１００を基準とした適正ＥＶ値が８．５以上、１１．５以下に設定されていることを特徴とする請求項１に記載のレンズ付きフイルムユニット。
【発明の詳細な説明】
【技術分野】
【０００１】
本発明は、露出切替機構を内蔵し、露出切替機構の露出を切り替えるモード選択操作部を選択操作して撮影を行うレンズ付きフイルムユニットに関するものである。
【背景技術】
【０００２】
写真フイルムが予め装填されたレンズ付きフイルムユニットが各種販売されている。このようなレンズ付きフイルムユニットとしては、フラッシュ装置、例えばストロボ装置を搭載し、暗い室内等でも撮影を行うことができるようにしたストロボ内蔵型もある。また、撮影条件に応じた露出に切り替えるために、撮影モードを選択することにより、日中屋外等の明るい場所から暗い場所までの撮影に対応したモード切替型のものもあり、このモード切替型では高感度の写真フイルムを用いることにより、室内や夜間の暗い場所での撮影において、背景の描写性を向上させたものが知られている（特許文献１）。
【０００３】
ストロボ内蔵型のレンズ付きフイルムユニットは、例えば１／１４０秒のシャッタ速度とＦ１０の絞りに、ＩＳＯ８００の写真フイルムが組み合せられ、ＩＳＯ１００を基準としたＥＶ値でＥＶ１０．８が適正露出となるようにされている。室内や夜間の暗い場所での撮影には、ストロボ発光させることにより、比較的に近距離の主要被写体の露出が適正とすることができる。
【０００４】
しかし、上記のようなストロボ内蔵型のレンズ付きフイルムユニットでは、主要被写体をストロボ光でほぼ適正な露出で撮影することができるものの、ストロボ光が有効でない背景については露光不足となってしまい、結果として背景は極端な露光不足となってしまっていた。
【０００５】
そこで、ストロボ発光の有無以外に、シャッタ速度切替機構、絞り切替機構を内蔵し、さらに、高感度の写真フイルムを装填したモード切替型のレンズ付きフイルムユニットが知られている（特許文献２）。このレンズ付きフイルムユニットは、日中屋外等の明るい場所での撮影に対応する日中撮影モード（ストロボ発光せず）と日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている。
【０００６】
上記の日中撮影モード及び日中シンクロ撮影モードでは、高速なシャッタ速度と小絞りに設定され、夜景シンクロ撮影モードでは、低速なシャッタ速度と大絞りに設定される。具体的には、ＩＳＯ８００の写真フイルムが用いられ、日中撮影モード及び日中シンクロ撮影モードでは、シャッタ速度が例えば１／１２０秒に、絞り値が例えばＦ１４に設定され、夜景シンクロ撮影モードでは、シャッタ速度が例えば１／４５秒に、絞り値が例えばＦ５．６に設定されている。
【０００７】
ところで、撮影モード選択型のものでは、外部から選択されているモードが分かり難い問題がある。そこで、ストロボ内蔵型の特許文献１に記載のものでは、ストロボ撮影モードのときにストロボ回路の充電状態を表示するライトガイドを、ボディ上面から外部に突出することでストロボ撮影モードの選択を外部から容易に識別することができるようにしている。
【０００８】
さらに、露出切替型の特許文献２に記載のものでは、日中撮影モードのときには無表示、日中シンクロ撮影モードのときにはライトガイドを上面から外部に突出してそのモードの選択を表示し、さらには夜間シンクロ撮影モードのときにはファインダ視野内に指標板を挿入してそのモードの選択を表示している。
【特許文献１】特開平１１−６４９５１号公報
【特許文献２】特開２００３−３４４９１４号公報
【発明の開示】
【発明が解決しようとする課題】
【０００９】
しかしながら、撮影モードを任意のモードに選択すると、その後の撮影時に撮影モードを変更せずに、そのままの撮影モードで撮影を継続してしまうおそれがある。とうのは、撮影モード選択操作部が一般的にボディ前面に設けられているため、戻し忘れ易いという欠点があった。特許文献１に記載のものでは、ストロボ発光の有無だけであるので、モードの選択を間違っても露光にはそれほど影響がないのに対し、特許文献２に記載のものでは、撮影モードに応じて露出を変更するため、撮影モードの選択を間違うと、撮影環境下によっては失敗写真となるおれがある。
【課題を解決するための手段】
【００１０】
本発明は、上記問題を解消するためになされたもので、その時点で選択されている撮影モードから使用頻度の高い標準の撮影モードに迅速に戻すことができるレンズ付きフイルムユニットを提供することにある。
【００１１】
本発明のレンズ付きフイルムユニットでは、該ユニットの外部に一部が突出する突出位置と、前記一部が該ユニット内に収納される収納位置との間で移動するモード表示部材と、
複数の撮影モードのうちの、野外撮影をするときに選択する標準モードの位置にモード選択操作部を選択操作したときにはモード表示部材が収納位置となり、標準モード以外のモードを選択する位置にモード選択操作部を選択操作したときにはモード表示板を突出位置に移動させるとともに、モード表示部材を突出位置から収納位置に手動で移動したときに、前記標準モードを選択する位置にモード選択操作部を戻すように、モード選択操作部とモード表示部材とを連動させる連動機構と、を備えたものである。
【００１２】
本発明のレンズ付きフイルムユニットはストロボ装置を内蔵していないことが前提である。そこで、標準モードとしては、写真フイルムとしてフイルム感度がＩＳＯ１６００以上、好ましくはＩＳＯ３２００のものを使用し、フイルム感度ＩＳＯ１００を基準とした適正ＥＶ値を「８．５」以上、「１１．５」以下の範囲のいずれかに設定するのが望ましい。
【発明の効果】
【００１３】
本発明では、モード表示板を突出位置から収納位置に手動で移動させることで、撮影モード選択操作部材を標準モードの位置に迅速に戻すことができるため、撮影モードを戻し忘れることを未然に防止することができる。
【発明を実施するための最良の形態】
【００１４】
図１に示すように、本発明を実施したレンズ付きフイルムユニット１０は、各種撮影機構が組み込まれたユニット本体１１と、ユニット本体１１の外周に巻き付けられるようにして貼付されるラベル１２とからなる。ラベル１２には、ユニット本体１１の各部を露呈させるための開口が形成されている。
【００１５】
ユニット本体１１の前面には、撮影レンズ１３、ファインダ対物窓１４、モード選択操作部１５が設けられている。また、ユニット本体１１の上面１１ａには、レリーズボタン１６、及びモード表示板１７が設けられ、背面にはファインダ接眼窓１８と、撮影後のフイルム巻き上げに用いられる巻き上げノブ１９の一部が露呈して設けられている。
【００１６】
モード選択操作部１５は、スロット１５ａ内で上下にスライド操作を行うことにより第１位置〜第３位置との３位置のうちのいずれかの位置に選択することができる。第１位置は、図２に示すように、スロット１５ａの内のうちの最も下にした位置で、晴天の野外撮影時など高輝度被写体のときに使用する日中モードを選択する位置であり、この日中モードは、撮影では一番多く使われると予想される標準モードである。この日中モードのときには、モード表示板１７がユニット本体１１の内部に収納される収納位置となる。
【００１７】
第２位置は、スロット１５ａの内のうちの中間位置であり、この位置はくもりの野外撮影時など中輝度被写体のときに使用する中間モードを選択する位置であり、この中間モードでは、モード表示板１７が上面１１ａから１段突出する。この突出した範囲のモード表示板１７の表面又は裏面には、曇りマーク１７ａが記されている。第３の位置は、スロット１５ａの内のうちの最も上にした位置であり、屋内の撮影時などの低輝度被写体のときに使用する室内モードを選択する位置である。この中間モードでは、モード表示板１７がさらに１段階突出し、上面１１ａからは２段分の突出した高さとなる。この突出した範囲のモード表示板１７の表面又は裏面には、室内を表す家マーク１７ｂが記されている。なお、マーク１７ａ，１７ｂとしては、曇りや家のマークに限らす、そのモードに対応する絵柄であれば何れでも良い。
【００１８】
ユニット本体１１は、図３に示すように、本体基部２０、写真フイルムパトローネ２１、後カバー２２、前カバー２３、及び、支持板２４とで構成されている。写真フイルムパトローネ２１は、写真フイルム２５とこれを収納するパトローネ２６とで構成される。写真フイルム２５としては、フイルム感度がＩＳＯ１６００以上、好ましくはＩＳＯ３２００のものが用いられる。前・後カバー２３，２２には、上面にモード表示板１７を出入りさせるために開口又は切り欠き２３ａ，２２ａが設けられている。
【００１９】
本体基部２０には、被写体側から見て露光開口２７を挟んだ左側にパトローネ２６を収納するパトローネ室２８が、また右側にはパトローネ２６から未露光の写真フイルム２５を引き出してロール形態で収納するフイルム室２９がそれぞれ一体に形成されている。パトローネ室２８の上には、巻き上げノブ１９が回転自在に配されている。巻き上げノブ１９は、パトローネ室２８に装填されるパトローネ２６の軸芯３０に係合しており、フイルム巻き上げ方向に回転することで写真フイルム２５をフイルム室２９からパトローネ室２８に向けて移送して撮影済みの写真フイルムをパトローネ２６に巻き込む。
【００２０】
本体基部２０の背面及びパトローネ室２８とフイルム室２９との底面は開口されている。後カバー２２は、写真フイルムパトローネ２１を装填後に本体基部２０の背面に取り付けられ、本体基部２０の背面を覆う。後カバー２２には、一部を薄肉して折り曲げ自在にしたプルトップ式の底蓋３１、３２がそれぞれ設けられている。一方の底蓋３１はパトローネ室２８の底を、また他方の底蓋３２はフイルム室２９の底を覆う。パトローネ室２８の底面を覆う底蓋３１は、現像所で撮影済み写真フイルムを収納したパトローネ２６を取り出すときに開かれる。
【００２１】
露光開口２７の前面には暗箱３３が設けられ、暗箱３３の前面には撮影レンズ１３、シャッタ機構、及び絞り切り換え機構などが組み込まれている。暗箱３３の上には、ファインダ光学系、フイルム巻き止め機構、フイルムカウンタ機構、及びシャッタチャージ機構などが組み込まれる。
【００２２】
図４に示すように、モード選択操作部１５は、支持板２４に一体に設けられている。支持板２４は、前カバー２３の内壁に設けた一対のガイド部材３５，３６により上下に移動自在に支持されている。前カバー２３の内壁と支持板２４とには凹凸からなる周知のクリック機構３７が設けられており、クリック機構３７はモード選択操作部１５を第１〜第３の位置にそれぞれ保持する。
【００２３】
モード表示板１７は、ユニット本体１１の内部に設けたガイド部３８により上下にスライド自在となっており、表示用連結棒３９により支持板２４に連結されている。この連結は、モード選択操作部１５が日中モードの位置のときには、モード表示板１７が上面１１ａから内部に収納され、モード選択操作部１５を中間及び室内モードの位置にしたときには、モード表示板１７が上面１１ａから突出するようになっている。このため、突出しているモード表示板１７を収納位置に向けて押し下げると、支持板２４も一緒に下がってモード選択操作部１５が日中モードの位置に戻る。これら支持板２４と表示用連結棒３９とが本発明の連動機構を構成する。なお、支持板２４には、詳しくは後述する絞り切替機構に連係する連係棒４０が設けられている。また、連動機構としては、支持板２４とモード表示板１７とを表示用連結棒３９で直結する構造としているが、これら直結構造の代わりに、周知のリンク機構や連係機構を用いることができる。
【００２４】
図５に示すように、暗箱３３の前面には、被写体光を暗室状態で露光開口２７に導くための開口４１が形成されている。この前面には、被写体側から順に、絞り駆動環４２、第１レンズ４３、レンズホルダ４４、第１絞り板４５、第２絞り板４６、スペーサ４７、シャッタ羽根４８、レンズケース４９、第２レンズ５０、スペーサ環５１、第３レンズ５２が取り付けられる。
【００２５】
第１レンズ４３は、レンズホルダ４４に保持される。第２レンズ５０、スペーサ環５１、及び第３レンズ５２は、レンズケース４９の内部に保持される。レンズケース４９は、筒状となっており、被写体側の前面に固定の開放絞り開口５３が、また結像面側の背面には第２レンズ５０、スペーサ環５１、及び第３レンズ５２を順に挿入するために開口が形成されている。
【００２６】
シャッタ羽根４８は、第１レンズ４３とレンズケース４９との間で、撮影光軸１３ａを横切るように揺動自在に設けられている。この揺動は、シャッタ羽根４８の一端が被写体側から見て暗箱３３の左側に配した軸５４を中心に、他端に設けた開閉部５５が開放絞り開口５３を開閉するように回転する。シャッタ羽根４８は、シャッタリレーズに連動して図５に矢印で示すＡ方向に回転するシャッタ駆動レバー５６に設けた蹴飛ばし部５６ａで、前記一端に設けた被蹴飛ばし部５７が蹴飛ばされることで開閉部５５が回転し、開き位置に到達した後には引き戻しバネ５８により開放絞り開口５３を閉じる位置に戻される。
【００２７】
レンズホルダ４４の背面には、スペーサ４７が取り付けられ、レンズホルダ４４とスペーサ４７との間には、第１及び第２の絞り板４５，４６が各々挿脱自在に配置されている。第１絞り板４５には、開放絞り開口５３の径よりも小径の中絞り開口６０が形成されており、中絞り開口６０が撮影光軸１３ａに位置する挿入位置と撮影光軸１３ａから退避する退避位置との間で挿脱自在となっている。第２絞り板４６は、中絞り開口６０よりも小径の小絞り開口６１が形成されており、第１絞り板４５の背後で、小絞り開口６１が撮影光軸１３ａに位置する挿入位置と撮影光軸１３ａから退避する退避位置との間で挿脱自在となっている。
【００２８】
レンズホルダ４４の前面には、第１レンズ４３の外周を保持する筒部６２が設けられている。筒部６２の周りには、絞り駆動環４２が回転自在に取り付けられる。絞り駆動環４２は、外周の一部に第１及び第２の絞り板４５，４６の一端にそれぞれ係合する駆動ピン６３が設けられており、回転角に応じて第１及び第２絞り板４５，４６の挿脱を制御する。
【００２９】
絞り駆動環４２には、連係棒４０が連係されており、絞り駆動鐶４２は、モード選択操作部１５の選択操作に応じて回転する。すなわち、日中モードを選択する位置にモード選択操作部１５を操作したときには、その移動量に応じた分だけ絞り駆動鐶４２が回転して、その絞り駆動鐶４２の回転量に応じて第１絞り板４５が退避位置に、かつ第２絞り板４６が挿入位置に移動する。これにより、日中モードでは、小絞り開口６１を絞りとして撮影が行われる。中間モードを選択する位置にモード選択操作部１５を操作したときには、その移動量に応じた分だけ絞り駆動鐶４２がさらに回転して、第１絞り板４５が挿入位置に、かつ第２絞り板４６が退避位置に移動する。このため、中間モードでは、中絞り開口６０を絞りとして撮影が行われる。室内モードを選択する位置に操作したときには、その移動量に応じた分だけ絞り駆動鐶４２がさらに回転して、第１及び第２絞り板４５，４６がそれぞれ退避位置に移動する。したがって、室内モードでは、開放絞り開口５３を絞りとして撮影が行われる。
【００３０】
図６に示すように、日中モードでは、ＩＳＯ１００を基準としたＥＶ値で、適正ＥＶ値がＥＶ１０となっており、カラーネガタイプの写真フイルム２２ｂのラチチュードを考慮して＋５．５ＥＶ（露光オーバ）、−１．５ＥＶ（露光アンダー）の露光量の過不足を許容すると、ＥＶ８．５〜ＥＶ１５．５の範囲で撮影が行うことができる。中間モードでは、ＩＳＯ１００を基準としたＥＶ値で、適正ＥＶ値がＥＶ７となっており、ラチチュードを考慮すると、ＥＶ５．５〜ＥＶ１２．５の範囲で撮影が行うことができ、ストロボ発光を用いずに、薄暗い屋外での撮影が可能とされている。室内モードでは、ＩＳＯ１００を基準としたＥＶ値で、適正ＥＶ値がＥＶ４．５となっており、ラチチュードを考慮すると、ＥＶ３．０〜ＥＶ１０．０の範囲で撮影が行うことができ、ストロボ発光を用いずに暗い室内や夜間屋外での撮影が可能になる。なお、ＩＳＯ１００を基準とした適正ＥＶ値は、絞り値をＦ，シャッタ速度をＴ（秒）、フイルム感度をＳとしたときに、「ＥＶ＝log2(Ｆ2／Ｔ)−log2（Ｓ／１００）」で与えられる。
【００３１】
なお、日中モードとしては、写真フイルムとしてフイルム感度がＩＳＯ１６００以上、好ましくはＩＳＯ３２００のものを使用したときに、フイルム感度ＩＳＯ１００を基準とした適正ＥＶ値を「１０」にしているが、これに限らず、適正ＥＶ値が「８．５」以上、「１１．５」以下の範囲であればいずれでも良い。
【００３２】
上記構成の作用を説明する。撮影を行うときには、モード選択操作部１５を撮影環境下に応じて、日中モード、中間モード、及び、室内モードのうちの何れかのモードの位置に操作する。晴天の野外で撮影を行う場合には、日中モードを選択する。この選択は、モード選択操作部１５をスロット１５ａの一番下に移動する。これによりモード表示板１７が該ユニット１０の輪郭内に納まる収納位置になる。また、モード選択操作部１５の操作に応じて絞り駆動鐶４２が回転するため、第１絞り板４５が退避位置に、かつ第２絞り板４６が挿入位置に移動する。これにより、小絞り開口６１を絞りとして撮影が行われる。
【００３３】
曇りの野外で撮影を行う場合には、中間モードを選択する。この選択は、モード選択操作部１５をスロット１５ａのうちの中間位置に操作にする。これによりモード表示板１７がユニット本体１１の上面１１ａから１段突出し、曇りマーク１７ａを外部に表示する。また、この選択操作により、第１絞り板４５が挿入位置に、かつ第２絞り板４６が退避位置に移動されて、中絞り開口６０を絞りとして撮影が行われる。撮影終了後には、モード表示板１７を収納位置に向けて押し込む。これにより、モード選択操作部１５が日中モードの位置に戻される。また、この移動に連動して第１絞り板４５が退避位置に、かつ第２絞り板４６が挿入位置に移動する。
【００３４】
室内での撮影や夜景の撮影を行う場合には、室内モードを選択する。この選択は、モード選択操作部１５をスロット１５ａのうちの最も上に操作にする。これによりモード表示板１７がユニット本体１１の上面１１ａから２段突出し、曇りマーク１７ａとともに家マーク１７ｂを外部に表示する。また、このモードの位置にモード選択操作部１５を操作すると、第１及び第２絞り板４５，４６がそれぞれ退避位置に移動して、開放絞り開口５３を絞りとして撮影が行われる。そして、撮影終了後、モード表示板１７を押し込むと、モード選択操作部１５が日中モードの位置に戻され、また、この移動に連動して第１絞り板４５が退避位置に、かつ第２絞り板４６が挿入位置に移動する。これにより、突出しているモード表示板１７を収納位置に押し込めば、頻繁に使用する日中モードに簡便に戻すことができる。
【００３５】
上記実施形態では、モード選択操作部１５のモード選択を上下にスライドして行うタイプとして説明しているが、本発明ではこれに限らず、横方向にスライドするタイプや、撮影レンズを中心とする円弧線上で移動するタイプの操作部を用いても良い。
【００３６】
また、上記実施形態では、３つの撮影モードをもつタイプとして説明しているが、２つ又は４つ以上の撮影モードをもつタイプでもよい。この場合、どのタイプでも野外撮影時に選択する、一番頻繁に用いる日中モードを標準モードにすればよい。また、モード表示板１７を上面１１ａの外部に突出しているが、代わりに、ユニット本体１１の背面、又は底面、若しくは側面の外部に突出するように構成してもよい。
【００３７】
さらに、上記実施形態では、絞り切替を行って露出を切り替える露出切替機構を備えているが、シャッタ速度を切り替える露出切替機構を用いてもよいし、絞り切替機構とシャッタ速度の切替機構とを持ち、絞り開口径とシャッタ速度との自由な組み合わせで露出を切り替える露出切替機構を用いてもよい。さらにまた、モード表示板７２としは、板形状としているが、これに限らず、周知の形状の部材であればいずれの形状のものを採用してもよい。
【００３８】
また、絞り機構とシャッタ機構とを別々に配しているが、これらの代わりに、２枚のシャッタ羽根を撮影光軸上で開閉自在に配し、各シャッタ羽根の開き量に応じて各シャッタ羽根の開閉部で撮影光軸上に開口を形成する絞り兼用のシャッタ機構を設けてもよい。
【図面の簡単な説明】
【００３９】
【図１】本発明を実施したレンズ付きフイルムユニットの外観を示す斜視図である。
【図２】撮影モード選択操作部の位置とモード表示板の状態との関係を示す説明図である。
【図３】ユニット本体の構成を示す分解斜視図である。
【図４】モード選択操作部と、モード表示板、及び、絞り切替機構との連係構造の概略を示す斜視図である。
【図５】撮影レンズ、絞り切替機構、及びシャッタ羽根の位置関係を示す斜視図である。
【図６】各撮影モードでのＩＳＯ１００を基準としたときの適性露出値に対して、写真フイルムのラチチュードを考慮した適性露出値の範囲を示すグラフである。
【符号の説明】
【００４０】
１０  レンズ付きフイルムユニット
１１  ユニット本体
１５  モード選択操作部
１７  モード表示板
４３  第１レンズ
５０  第２レンズ
５２  第３レンズ
４５  第１絞り板
４６  第２絞り板
５３  開放絞り開口
【図１】
2006091069.tif 000003
【図２】
2006091069.tif 000004
【図３】
2006091069.tif 000005
【図４】
2006091069.tif 000006
【図５】
2006091069.tif 000007
【図６】
2006091069.tif 000008